(57)【要約】      （修正有）【課題】モータハウジングを利用して製作するようにして体積を減らすことができ、放熱が容易になるようにしたモータハウジングインダクターおよびそれを用いたモータアセンブリーを提供する。【解決手段】モータアセンブリー１００は、モータの回転軸を回転させるようにローター１４２とステーター１４１とを含むモータユニット１４０と、回転軸の軸方向の上部においてカバー１１０に形成された吸入ポート１１１を介して空気を吸入するように結合されるインペラー１６０と、インペラー１６０によって流入された空気をモータの内部にガイドするディフューザー１７０と、ステータ１４１を囲むように形成されるハウジング１２０と、ハウジングの底面に配置されたハウジングコア２１０と、ハウジングコア２１０のアームに巻線されたコイル２２０とを含むハウジングコアインダクター２００と、より構成される。【選択図】図１
2014131471.tif 000002
【特許請求の範囲】
【請求項１】
シャフトが貫通する貫通孔が形成されている中央部と、中央部から半径方向に延長して複数の空間部が形成されるようにする複数のアームを含む複数の板体がモータアセンブリーのハウジングのハウジング本体の底面に積層して形成されたハウジングコア、および
前記ハウジングコアの複数のアームに巻線されたコイルを含むハウジングコアインダクター。
【請求項２】
前記ハウジングコアの板体は、中央部から半径方向に延長する複数のアームによって十字形状をなすことを特徴とする請求項１に記載のハウジングコアインダクター。
【請求項３】
前記ハウジングコアの板体は、中央部から半径方向に延長する複数のアームの外縁を連結させる複数の連結環をさらに含むことを特徴とする請求項２に記載のハウジングコアインダクター。
【請求項４】
前記ハウジングは、一側から前記ハウジングコア側にビア形状で延びる固定部を含み、
前記ハウジングコアは、一側に形成され、前記固定部が挿入される固定孔を含むことを特徴とする請求項１に記載のハウジングコアインダクター。
【請求項５】
前記固定部は複数個形成され、そのうち一つの固定部の長さは他の固定部の長さより長く形成されることを特徴とする請求項４に記載のハウジングコアインダクター。
【請求項６】
前記ハウジングは、前記固定部に取り付けられ、衝撃を吸収する弾性材質のダンパーをさらに含むことを特徴とする請求項４に記載のハウジングコアインダクター。
【請求項７】
前記ハウジングコアは、ダストコア、ラミネートコア、またはフェライトコアのうちいずれか一つが用いられることを特徴とする請求項１に記載のハウジングコアインダクター。
【請求項８】
前記コイルは、前記アームに外側から中央部に向かって巻線されることを特徴とする請求項１に記載のハウジングコアインダクター。
【請求項９】
モータの回転中心をなす回転軸と、
前記回転軸を回転させるようにローターとステーターとを含むモータユニットと、
前記回転軸の軸方向の上部においてカバーに形成された吸入ポートを介して空気を吸入するように結合されるインペラーと、
前記インペラーによって流入された空気をモータの内部にガイドするディフューザーと、
前記モータユニットを含み、前記回転軸の外周縁を囲むように形成されるハウジング、および
シャフトが貫通する貫通孔が形成されている中央部と、中央部から半径方向に延長して複数の空間部が形成されるようにする複数のアームを含む複数の板体がモータのハウジングのハウジング本体の底面に積層して形成されたハウジングコアと、前記ハウジングコアの複数のアームに巻線されたコイルとを含むハウジングコアインダクターを含むモータアセンブリー。
【請求項１０】
前記モータユニットの上面に設けられる上部インシュレーター、および
前記モータユニットの底面に設けられる下部インシュレーターをさらに含むことを特徴とする請求項９に記載のモータアセンブリー。
【請求項１１】
前記ハウジングコアの板体は、中央部から半径方向に延長する複数のアームによって十字形状をなすことを特徴とする請求項９に記載のモータアセンブリー。
【請求項１２】
前記ハウジングコアの板体は、中央部から半径方向に延長する複数のアームの外縁を連結させる複数の連結環をさらに含むことを特徴とする請求項１１に記載のモータアセンブリー。
【請求項１３】
前記ハウジングは、一側から前記ハウジングコア側にビア形状で延びる固定部を含み、
前記ハウジングコアは、一側に形成され、前記固定部が挿入される固定孔を含むことを特徴とする請求項９に記載のモータアセンブリー。
【請求項１４】
前記固定部は複数個形成され、そのうち一つの固定部の長さは他の固定部の長さより長く形成されることを特徴とする請求項１３に記載のモータアセンブリー。
【請求項１５】
前記ハウジングは、前記固定部に取り付けられ、衝撃を吸収する弾性材質のダンパーをさらに含むことを特徴とする請求項１３に記載のモータアセンブリー。
【請求項１６】
前記ハウジングコアは、ダストコア、ラミネートコア、またはフェライトコアのうちいずれか一つが用いられることを特徴とする請求項９に記載のモータアセンブリー。
【請求項１７】
前記コイルは、前記アームに外側から中央部に向かって巻線されることを特徴とする請求項９に記載のモータアセンブリー。
【請求項１８】
前記モータユニットの下部バランス部材の底面に設けられるセンサーマグネット、および
前記センサーマグネットの底面に設けられるホールセンサーを含むことを特徴とする請求項９に記載のモータアセンブリー。
【発明の詳細な説明】
【技術分野】
【０００１】
本発明は、ハウジングコアインダクターおよびそれを用いたモータアセンブリーに関する。
【背景技術】
【０００２】
スイッチドリラクタンス電動機は、１５０余年前からの電動機の設計形態のうち一つである。このような伝統的な形態のリラクタンス電動機が電力用半導体の開発と共に可変ドライブの条件を満たすために、スイッチドリラクタンス電動機として知られるようになった。
【０００３】
「Ｓｗｉｔｃｈｅｄ  Ｒｅｌｕｃｔａｎｃｅ」という名称は、Ｓ．Ａ．Ｎａｓａｒによって命名され、この名称はＳＲＭの二つの主要な特徴を説明している。
【０００４】
第１に、「Ｓｗｉｔｃｈｅｄ」という意味は、電動機が常に連続的なスイッチングモードにおいて動作しなければならないということであり、これは、新しい形態の電力用半導体の開発と発達によって、これを適用させてから用いられた用語である。
【０００５】
第２に、「Ｒｅｌｕｃｔａｎｃｅ」とは、回転子と固定子がリラクタンス磁気回路（ｍａｇｎｅｔｉｃ  ｃｉｒｃｕｉｔｓ）を可変させることで動作するようにする二重突極構造を意味する。
【０００６】
Ｎａｓｒａ、Ｆｒｅｎｃｈ、Ｋｏｃｈ、Ｌａｗｒｅｎｓｏｎなどの学者らは、１９６０年代、構造的に類似するＳｔｅｐｐｉｎｇ  Ｍｏｔｏｒとは異なって電力用半導体を用いた連続モード制御を考案するようになる。
【０００７】
その当時、電力用サイリスタ半導体が唯一に相対的に高い電圧と電流を制御する性能を有したため、これを、スイッチドリラクタンス電動機を制御するのに適用した。
【０００８】
現代には、電力用トランジスタ、ＧＴＯ、ＩＧＢＴおよび電力用ＭＯＳＦＥＴなどが開発され、ＳＲＭ制御のための定格電力範囲内で多様に利用できるようになった。
【０００９】
ＳＲＭは、構造面で非常に簡単である。ＳＲＭは、永久磁石やブラシおよび整流子を含まない。前記ＳＲＭにおいて、固定子は突極を含み、鋼鉄が積層された構造になっており、直列に連結されたコイルが巻かれた巻線が各々の相（ｐｈａｓｅ）に独立的に連結されており、この巻線が固定子極を囲む。
【００１０】
回転子には、巻線がなく、鋼鉄の積層構造になっており、固定子と同様に突極構造になっている。したがって、固定子と回転子がいずれも突極構造を有することにより、二重突極（ｄｏｕｂｌｅ  ｓａｌｉｅｎｔ）構造と見ることができる。
【００１１】
このようなシンプルな構造は、信頼性と生産単価を下げることにより、可変速ドライブの代案としてその可能性が大きいと言える。
【００１２】
このような利点を有したＳＲＭモータは、現在、様々な分野で用いられており、真空掃除機分野での使用が実用化されている。
【００１３】
一方、最近、世界的に、掃除機のみならず全家電製品においては、力率補償およびＥＭＩ／ＥＭＣ保護に対する回路が必須的に追加されなければならないということが、色々な規約団体によって要求されている（例えば、特許文献１参照）。
【００１４】
しかし、力率補償およびＥＭＩ／ＥＭＣ保護回路を構成する部品のうち一つであるインダクターは、体積が大きいという問題点を有し、放熱のための構成がさらに必要となるという問題がある。
【先行技術文献】
【特許文献】
【００１５】
【特許文献１】特開平７−８７７１２号公報
【発明の概要】
【発明が解決しようとする課題】
【００１６】
本発明は、前記のような問題点を解決するために導き出されたものであり、モータハウジングを利用して製作するようにして体積を減らすことができ、放熱が容易になるようにしたモータハウジングインダクターおよびそれを用いたモータアセンブリーを提供することにその目的がある。
【課題を解決するための手段】
【００１７】
前記のような目的を達成するための本発明の一側面は、シャフトが貫通する貫通孔が形成されている中央部と、中央部から半径方向に延長して複数の空間部が形成されるようにする複数のアームを含む複数の板体がモータアセンブリーのハウジングの底面に積層して形成されたハウジングコア、および前記ハウジングコアの複数のアームに巻線されたコイルを含む。
【００１８】
また、本発明の一側面の前記ハウジングコアの板体は、中央部から半径方向に延長する複数のアームによって十字形状をなす。
【００１９】
また、本発明の一側面の前記ハウジングコアの板体は、中央部から半径方向に延長する複数のアームの外縁を連結させる複数の連結環をさらに含む。
【００２０】
また、本発明の一側面の前記ハウジングは、一側から前記ハウジングコア側にビア形状で延びる固定部を含み、前記ハウジングコアは、一側に形成され、前記固定部が挿入される固定孔を含む。
【００２１】
また、本発明の一側面の前記固定部は複数個形成され、そのうち一つの固定部の長さは他の固定部の長さより長く形成される。
【００２２】
また、本発明の一側面は、前記ハウジングは、前記固定部に取り付けられ、衝撃を吸収する弾性材質のダンパーをさらに含む。
【００２３】
また、本発明の一側面の前記ハウジングコアは、ダストコア、ラミネートコア、またはフェライトコアのうちいずれか一つが用いられる。
【００２４】
また、本発明の一側面の前記コイルは、前記アームに外側から中央部に向かって巻線される。
【００２５】
一方、本発明の他の側面は、モータの回転中心をなす回転軸と、前記回転軸を回転させるようにローターとステーターとを含むモータユニットと、前記回転軸の軸方向の上部においてカバーに形成された吸入ポートを介して空気を吸入するように結合されるインペラーと、前記インペラーによって流入された空気をモータの内部にガイドするディフューザーと、前記モータユニットを含み、前記回転軸の外周縁を囲むように形成されるハウジング、およびシャフトが貫通する貫通孔が形成されている中央部と、中央部から半径方向に延長して複数の空間部が形成されるようにする複数のアームを含む複数の板体がモータのハウジングのハウジング本体の底面に積層して形成されたハウジングコアと、前記ハウジングコアの複数のアームに巻線されたコイルとを含むハウジングコアインダクターを含む。
【００２６】
また、本発明の他の側面は、前記モータユニットの上面に設けられる上部インシュレーター、および前記モータユニットの底面に設けられる下部インシュレーターをさらに含む。
【００２７】
また、本発明の他の側面の前記ハウジングコアの板体は、中央部から半径方向に延長する複数のアームによって十字形状をなす。
【００２８】
また、本発明の他の側面の前記ハウジングコアの板体は、中央部から半径方向に延長する複数のアームの外縁を連結させる複数の連結環をさらに含む。
【００２９】
また、本発明の他の側面の前記ハウジングは、一側から前記ハウジングコア側にビア形状で延びる固定部を含み、前記ハウジングコアは、一側に形成され、前記固定部が挿入される固定孔を含む。
【００３０】
また、本発明の他の側面の前記固定部は複数個形成され、そのうち一つの固定部の長さは他の固定部の長さより長く形成される。
【００３１】
また、本発明の他の側面は、前記ハウジングは、前記固定部に取り付けられ、衝撃を吸収する弾性材質のダンパーをさらに含む。
【００３２】
また、本発明の他の側面の前記ハウジングコアは、ダストコア、ラミネートコア、またはフェライトコアのうちいずれか一つが用いられる。
【００３３】
また、本発明の他の側面の前記コイルは、前記アームに外側から中央部に向かって巻線される。
【００３４】
また、本発明の他の側面は、前記モータユニットの下部バランス部材の底面に設けられるセンサーマグネット、および前記センサーマグネットの底面に設けられるホールセンサーを含む。
【００３５】
本発明の詳細な説明に先立ち、本明細書及び特許請求の範囲に用いられた用語や単語は、通常的かつ辞書的な意味に解釈されてはならず、発明者が自らの発明を最善の方法で説明するために用語の概念を適切に定義することができるという原則にしたがって本発明の技術的思想にかなう意味と概念に解釈されるべきである。
【発明の効果】
【００３６】
前記のような本発明によれば、インダクターを、モータハウジングを利用して製作することにより、モータの体積を減らせるようにする。
【００３７】
また、本発明によれば、モータの排気がインダクターのコイルとコアを直接通ることにより、放熱装置をさらに用いることがなくても充分な放熱効果を得ることができる。
【図面の簡単な説明】
【００３８】
【図１】本発明のスイッチドリラクタンスモータアセンブリーの断面を示す断面図である。
【図２】モータユニットに本発明のモータハウジングインダクターが設けられることを示す分離斜視図である。
【図３】ハウジングの固定部にダンパーが設けられたことを示す一部分離斜視図である。
【図４】モータハウジングインダクターの平面図である。
【図５】モータハウジングインダクターの磁束流れ図である。
【図６】モータハウジングインダクターのシミュレーション図（写真）である。
【図７】モータハウジングインダクターのシミュレーション図（写真）である。
【発明を実施するための形態】
【００３９】
本発明の目的、特定の長所および新規の特徴は、添付図面に係る以下の詳細な説明および好ましい実施形態によってさらに明らかになるであろう。本明細書において、各図面の構成要素に参照番号を付け加えるに際し、同一の構成要素に限っては、たとえ異なる図面に示されても、できるだけ同一の番号を付けるようにしていることに留意しなければならない。また、「第１」、「第２」、「一面」、「他面」などの用語は、一つの構成要素を他の構成要素から区別するために用いられるものであり、構成要素が前記用語によって限定されるものではない。以下、本発明を説明するにあたり、本発明の要旨を不明瞭にする可能性がある係る公知技術についての詳細な説明は省略する。
【００４０】
以下、添付図面を参照して、本発明の好ましい実施形態を詳細に説明する。
【００４１】
図１は、本発明のスイッチドリラクタンスモータアセンブリーの断面を示す断面図である。
【００４２】
図１に示すように、本発明のスイッチドリラクタンスモータアセンブリー１００は、カバー１１０に形成される吸入ポート１１１を介して空気を吸入した後に移送するインペラー１６０およびディフューザー１７０と、前記インペラー１６０に連動するシャフトＳを回転させるモータユニット１４０が内部に取り付けられるハウジング１２０と、前記モータユニット１４０に設けられるインシュレーター１５０と、前記ハウジング１２０の底面に設けられるインダクターコア２１０と前記インダクターコア２００に巻線されたコイル２２０とからなるモータハウジングインダクター２００と、を含む。
【００４３】
この時、前記インペラー１６０は、吸入ポート１１１が上段に形成されたカバー１１０の内側に設けられ、前記カバー１１０の下段に連結されたハウジング１２０の内側にシャフトＳによって回転するように設けられる。
【００４４】
また、ディフューザー１７０は、前記インペラー１６０とモータユニット１４０との間に配置され、前記インペラー１６０の出口部を通して出た空気を圧送する。
【００４５】
ここで、前記インペラー１６０の回転によって空気が前記吸入ポート１１１を介して吸入され、前記インペラー１６０を通過した空気が前記ディフューザー１７０によって圧送されて圧力が増加するように、前記インペラー１６０とディフューザー１７０は一定間隔をおいて設けられる。
【００４６】
前記ハウジング１２０は、前記吸入ポート１１１が形成されるカバー１１０の下段に設けられる。
【００４７】
一方、前記ハウジング１２０は、図２に示すように、円筒形状であり、中央にシャフトＳが貫通する貫通孔１２２が形成されるハウジング本体１２１と、前記ハウジング本体１２１の一側から前記モータハウジングインダクター２００側にビア形状で延びる固定部ＩＮとを含むことができる。
【００４８】
前記モータハウジングインダクター２００は、シャフトＳが貫通する貫通孔２１２が形成されている中央部２１１と、中央部２１１から半径方向に延長してコイル２２０が巻線される複数の空間部２１４を形成する複数のアーム２１３を含む複数の板体２１５ａ〜２１５ｎが積層して形成されたハウジングコア２１０、および前記ハウジングコア２１０に巻線されたコイル２２０を含む。
【００４９】
前記ハウジングコア２１０は、鉄のような強磁性（ｆｅｒｒｏｍａｇｎｅｔｉｃ）パウダーを圧縮成形することによって形成されるダストコア、シリコンスチールのような鉄板をラミネートすることによって形成されるラミネートコア、またはフェライトコアが用いられる。
【００５０】
また、前記ハウジングコア２１０の板体２１５は、中央部２１１から放射する複数のアーム２１３によって十字形状をなす。
【００５１】
前記ハウジングコア２１０は、一側に形成され、前記固定部ＩＮが挿入される固定孔２１６を含むことができる。
【００５２】
すなわち、前記ハウジング１２０から図面上の下側方向（モータインダクターコア）に延びる固定部ＩＮが前記固定孔２１６に挿入され、前記ハウジング１２０とハウジングコア２１０が互いに固定されることができる。
【００５３】
この時、前記固定部ＩＮは、図示されたように４個の固定部ＩＮ１，ＩＮ２，ＩＮ３，ＩＮ４を含むことができ、また、前記固定孔２１６もこれに対応して４個の固定孔２１６ａ，２１６ｂ，２１６ｃ，２１６ｄを含むことができる。
【００５４】
一方、前記固定部ＩＮは、図２に示すように複数個形成され、そのうち一つの固定部の長さは、他の固定部の長さより長く形成されるようにすることができる。これは、前記ハウジング１２０とハウジングコア２１０の組み立て時に段差の高さを調節してより容易に組み立てるためのものであり、前記長さの長い固定部を先に固定孔２１６に挿入させると、残りの固定部は、残りの固定孔２１６に自動挿入されるように残りの固定部の位置を調節して組み立てをより容易にすることができる。例えば、図面上の左側下端に位置した固定部ＩＮ３の長さを他の固定部ＩＮ１，ＩＮ２，ＩＮ４の長さより長く形成した後、前記長さの長い固定部ＩＮ３を先に固定孔２１６に挿入させた後、残りの固定部ＩＮ１，ＩＮ２，ＩＮ４を挿入固定するものである。
【００５５】
一方、図３に示すように、前記ハウジング１２０は、前記固定部ＩＮに取り付けられ、衝撃を吸収し、弾性材質からなるダンパーＢをさらに含むこともできる。すなわち、図示されたように前記４個の固定部ＩＮに各々ダンパーＢ１，Ｂ２，Ｂ３，Ｂ４を設けて、前記ハウジング１２０の内外部から発生する衝撃や振動を吸収することができる。前記ダンパーＢの材質としては、ゴムなどのように弾性があるものであれば、いかなるものを用いてもよい。この時、前記ダンパーＢは、図示されたように中空形状を有して、前記固定部ＩＮが貫通することもでき、前記固定部ＩＮが挿入される面（図面上の上部面）だけ開放され、下面は開放されないように形成して、前記固定部ＩＮがダンパーＢの内部に挿入収容されるようにすることもできる。
【００５６】
また、前記ハウジングコア２１０は、中央部２１１から放射する複数のアーム２１３の外縁を連結させる複数の連結環２１７をさらに含む。
【００５７】
前記コイル２２０は、前記ハウジングコア２１０のアームに巻線されるが、外部から中央部２１１に向かう方向に巻線され、隣り合うアームに巻線される時に最短距離を経由するようにする。
【００５８】
すなわち、ハウジングコアインダクター２００の平面図である図４を参照すれば、ハウジングコア２１０の外部から中央部２１１に向かってコイル２２０が巻線されることにより、図５に示された磁束流れ図のように、対向する２個のアームでは磁束が内部へ向かうように巻線され、他の対向する２個のアームでは磁束が外部へ向かうように巻線されて、円滑な磁束流れを得ることができる。
【００５９】
一方、前記モータユニット１４０には、挿入されるステーター１４１に巻線されたコイルとの絶縁のためのインシュレーター１５０が設けられることができる。
【００６０】
前記インシュレーター１５０は、前記モータユニット１４０の上面に設けられる上部インシュレーター１５１と、前記モータユニット１４０の底面に設けられる下部インシュレーター１５２とを含むことができる。
【００６１】
すなわち、前記モータユニット１４０の絶縁性能をより安定的に確保するために、上述したように前記モータユニット１４０の上面および底面に各々設けられることができる。
【００６２】
一方、前記下部インシュレーター１５２は、図２に示すように板体形状であり、中央にシャフトＳが貫通する貫通孔１５２ａが形成される下部インシュレーター本体１５２ｃを含むことができる。
【００６３】
また、前記下部インシュレーター１５２は、図示されたように、前記下部インシュレーター本体１５２ｃから図面上の上側方向に突出してステーター１４１の空間部１４１ｂに挿入される挿入突出部１５２ｂを含むことができる。前記挿入突出部１５２ｂは、図示されたように壁体形状であり、互いに離隔するように形成され、図示されたような４個の空間部１４１ｂに各々挿入されることができる。
【００６４】
また、前記ステーター１４１の空間部１４１ｂは、広く知られているように、隣り合うステーター部に巻線される巻線コイル（不図示）の間の空いた空間であり、これは広く知られている構成であるので詳しい説明は省略する。
【００６５】
図１に示すように、モータアセンブリー１００は、前記モータユニット１４０の下部バランス部材１３２の底面に設けられるセンサーマグネット１８１および前記センサーマグネット１８１の底面に設けられるホールセンサー１８２で構成されるローター電極センシング装置１８０を含むこともできる。広く知られているように、前記スイッチドリラクタンスモータを制御するためにローター１４２の電極をセンシングすることが必要であり、前記スイッチドリラクタンスモータは、このために上述したようなセンサーマグネット１８１とホールセンサー１８２とを含む。
【００６６】
以上で説明した本発明のスイッチドリラクタンスモータアセンブリー１００によって空気を吸入する作用について、図１を再び参照して説明する。
【００６７】
先ず、上述したように、前記モータユニット１４０によってシャフトＳが回転し、前記回転するシャフトＳによってインペラー１６０が回転する。前記回転するインペラー１６０によって空気が吸入ポート１１１を介して吸入され、ディフューザー１７０によって移送される。この時、前記シャフトＳは、図示されたように上下方向に設けられるベアリング１９０，１９１，１９２によって支持されることができる。一方、前記モータユニット１４０の上下部にはバランス部材１３０，１３１，１３２が設けられ、安定した回転を実現することができる。
【００６８】
前記モータユニット１４０は、制御部（不図示）によって制御され、この時、前記制御部は、前記インペラー１６０の回転速度が最適な状態に達するように制御する。
【００６９】
このような制御部の制御は、モータを駆動するインバータを制御してなされるが、この時、インバータに必要な電力としてＡＣ／ＤＣ整流器を介して直流に変換し、モータハウジングインダクター２００に貯蔵し、モータハウジングインダクター２００から供給される電力を利用する。
【００７０】
この時、モータハウジングインダクター２００は、ハウジング１２０の下段に設けられ、インペラーによって排気される空気によって冷却されるようになる。
【００７１】
前記のような本発明によれば、モータハウジングを利用してインダクターを製作することにより、モータの体積を減らせるようにする。
【００７２】
また、本発明によれば、モータの排気がインダクターのコイルとコアを直接通ることにより、放熱装置をさらに用いることがなくても充分な放熱効果を得ることができる。
【００７３】
一方、図６と図７は、モータハウジングインダクターの磁気シミュレーション図であり、図示されたように、磁束がモータハウジングインダクターのアームを通して円滑に流れるため、所望のインダクター特性を得ることができる。
【００７４】
以上、本発明を好ましい実施形態について図示し説明したが、本発明は上述した特定の実施形態に限定されるものではなく、特許請求の範囲で請求する本発明の要旨を外れず、当該発明が属する技術分野における通常の知識を有する者であれば、様々な変形実施が可能であることは明白であり、このような変形実施は本発明の技術的思想や展望から個別的に理解されてはならないであろう。
【産業上の利用可能性】
【００７５】
本発明は、ハウジングコアインダクターおよびそれを用いたモータアセンブリーに適用可能である。
【符号の説明】
【００７６】
１００  モータアセンブリー（スイッチドリラクタンスモータアセンブリー）
１１０  カバー
１１１  吸入ポート
１２０  ハウジング
１３０、１３１、１３２  バランス部材
１４０  モータユニット
１４１  ステーター
１４１ｂ  空間部
１４２  ローター
１５０  インシュレーター
１５１  上部インシュレーター
１５２  下部インシュレーター
１５２ａ  貫通孔
１５２ｂ  挿入突出部
１５２ｃ  下部インシュレーター本体
１６０  インペラー
１７０  ディフューザー
１８０  ローター電極センシング装置
１８１  センサーマグネット
１８２  ホールセンサー
１９０  ベアリング
１９１  上部ベアリング
１９２  下部ベアリング
２００  モータハウジングインダクター（ハウジングコアインダクター）
２１０  ハウジングコア
２２０  コイル
【図１】
2014131471.tif 000003
【図２】
2014131471.tif 000004
【図３】
2014131471.tif 000005
【図４】
2014131471.tif 000006
【図５】
2014131471.tif 000007
【図６】
2014131471.tif 000008
【図７】
2014131471.tif 000009